(57)【特許請求の範囲】
【請求項１】
架台（４）と、該架台（４）に吸気口（１４）を対向させ且つ前記架台（４）との間に吸気間隙（Ｓ）をあけて配設されたブロワー（５）と、前記架台（４）側と前記ブロワー（５）側との間にそれら双方に対して固着具（３６，３８）を用いて取着して架設されて前記吸気口（１４）側へと指が入ることを阻止するとともに前記吸気間隙（Ｓ）から前記吸気口（１４）へと異物（Ｌ）が吸い込まれることを阻止する通気カバー（２３）と、前記ブロワー（５）側の振動が前記通気カバー（２３）を介して前記架台（４）側へと伝達されることを防止する、指の入り込みを許容しない所定の大きさの、前記通気カバー（２３）の取付上の遊び（Ｃ）と、を備えている、送風作業機。
【請求項２】
前記通気カバー（２３）が、前記吸気口（１４）の回りで前記ブロワー（５）のケース（１６）に取着されるとともに、前記架台（４）の左右の縦縁（３７，３７）に沿う位置で前記架台（４）に取着されている、請求項１に記載の送風作業機。
【請求項３】
前記通気カバー（２３）が、前記吸気口（１４）からその半径方向外方へ離隔した位置に異物捕捉部（３０）を備えている、請求項１または２に記載の送風作業機。
【請求項４】
前記通気カバー（２３）が、前記吸気間隙（Ｓ）の上下左右の四方向に前記異物捕捉部（３０）を備えている、請求項３に記載の送風作業機。
【請求項５】
前記通気カバー（２３）が、吸振性の良好な材料で形成されている、請求項１乃至４のいずれか一項に記載の送風作業機。
【請求項６】
前記遊び（Ｃ）が、前記通気カバー（２３）の架台側取付部（３３，３４）と前記架台（４）との間に設けられている、請求項１乃至５のいずれか一項に記載の送風作業機。
【請求項７】
前記通気カバー（２３）の前記架台（４）側と前記ブロワー（５）側への取付部（３３，３４，３５）のそれぞれが、耳状に形成されている、請求項１乃至６のいずれか一項に記載の送風作業機。
【請求項８】
前記通気カバー（２３）が、指の入り込みを許容しないとともに前記ブロワー（５）側と前記架台（４）側との間の前記通気カバー（２３）を通じての振動伝達量を低減せしめる切り込み（３９）を備えている、請求項１乃至７のいずれか一項に記載の送風作業機。
【請求項９】
架台（４）と、該架台（４）に吸気口（１４）を対向させ且つ前記架台（４）との間に吸気間隙（Ｓ）をあけて配設されたブロワー（５）と、の間に架設されて、前記吸気間隙（Ｓ）から前記吸気口（１４）へと異物（Ｌ）が吸い込まれることを阻止する通気カバー（２３）であって、該通気カバー（２３）と前記架台（４）との間に指が入らないように前記通気カバー（２３）を前記架台（４）側に取着するための架台側取付部（３３，３３，３４，３４）と、前記通気カバー（２３）と前記ブロワー（５）との間に指が入らないように前記通気カバー（２３）を前記ブロワー（５）側に取着するためのブロワー側取付部（３５，３５，３５）と、前記架台側取付部（３３，３３，３４，３４）及び前記ブロワー側取付部（３５，３５，３５）による前記通気カバー（２３）の取付状態において、前記吸気口（１４）の半径方向外方に離隔して位置する異物捕捉部（３０）と、を備え、該異物捕捉部（３０）が、前記吸気間隙（Ｓ）の上下左右の四方向に位置している、通気カバー。
【請求項１０】
前記ブロワー側取付部（３５，３５，３５）が、前記吸気口（１４）の回りに位置するように形成されるとともに、前記架台側取付部（３３，３３，３４，３４）が、前記架台（４）の左右の縦縁（３７，３７）に沿う位置に形成されている、請求項９に記載の通気カバー。
【請求項１１】
全体が吸振性の良好な材料で形成されている、請求項９または１０に記載の通気カバー。
【請求項１２】
前記架台側取付部（３３，３３，３４，３４）及び前記ブロワー側取付部（３５，３５，３５）が、耳状に形成されている、請求項９，１０または１１に記載の通気カバー。
【請求項１３】
指の入り込みを許容しないとともに前記ブロワー（５）側と前記架台（４）側との間の前記通気カバー（２３）を通じての振動伝達量を低減せしめる切り込み（３９）を備えている、請求項９，１０，１１または１２に記載の通気カバー。
【発明の詳細な説明】
【０００１】
【発明の属する技術分野】
本発明は、送風作業機に関するものであり、特に、架台と、該架台に吸気口を対向させ且つ前記架台との間に吸気間隙をあけて配設されたブロワーと、を有する送風作業機に関するものである。本発明はまた、前記吸気間隙に用いて好適な通気カバーに関するものである。
【０００２】
【従来の技術】
前記の如き送風作業機の一例として、落ち葉の吹き寄せ作業等に用いて好適な、背負式等の送風作業機が知られている。該送風作業機において、前記ブロワーの作動中に、前記吸気口に作業者の指が誤って入り込むと危険である。そこで、前記吸気口を通気性を有する安全カバーで覆ったものが提案されている。
【０００３】
一方、前記吸気口を前記安全カバーで塞ぐと、作業中に、前記ブロワーの吸気流によって、落ち葉等の異物が前記安全カバーに張り付いてしまい、前記ブロワーの吸気効率が低減したり、冷却風不足によって前記ブロワーを駆動する原動機が焼き付いてしまう等の問題がある。この問題を解決するためには、前記安全カバーの吸気上流側に、前記異物を捕捉するためのプレフィルターを設けることが望ましい。
【０００４】
【発明が解決しようとする課題】
しかし、前記安全カバーと前記プレフィルターとを別々に設けるのは、構成上の無駄が多く、合理的でないほか、メンテナンスにも不都合である。
【０００５】
本発明は、前記の如き事情に鑑みてなされたもので、安全性が確保され、しかも、ブロワーの吸気効率が低下する等の問題の少ない、合理的な構成の送風作業機および通気カバーを提供しようとするものである。
【０００６】
【課題を解決するための手段】
前記課題を解決するため、本発明に係る送風作業機は、架台と、該架台に吸気口を対向させ且つ前記架台との間に吸気間隙をあけて配設されたブロワーと、前記架台側と前記ブロワー側との間にそれら双方に対して固着具を用いて取着して架設されて前記吸気口側へと指が入ることを阻止するとともに前記吸気間隙から前記吸気口へと異物が吸い込まれることを阻止する通気カバーと、前記ブロワー側の振動が前記通気カバーを介して前記架台側へと伝達されることを防止する、指の入り込みを許容しない所定の大きさの、前記通気カバーの取付上の遊びと、を備えたものである（請求項１）。
【０００７】
前記送風作業機によれば、前記通気カバーが、前記架台側と前記ブロワー側との双方に対して固着具を用いて取着されているので、前記架台と前記通気カバーとの間からも、前記ブロワーと前記通気カバーとの間からも、前記吸気口側へと指が入り込むことがなく、安全である。
【０００８】
また、前記通気カバーは、前記架台側と前記ブロワー側との間に架設されているので、通風孔の数を増やす等して通気総面積を広くとることができる。このため、前記ブロワーの吸気作用の妨げになりにくい。また、前記通気カバーを通過する吸気流の流速も遅くできるので、前記通気カバーに落ち葉等の異物が張り付きにくい。よって、異物の張り付きによる前記ブロワーの吸気効率の低下の問題が少なく、たとえ張り付いたとしても、その異物が自然に除去され易い。
【０００９】
しかも、前記通気カバーは、安全保証機能と異物吸入防止機能とを併有しているので、構成に無駄がなく、合理的である。さらに、前記通気カバーの取付上の遊びを設けているので、前記ブロワー側の振動が前記通気カバーを介して前記架台側へと伝達されることも防止される。前記遊びは、指の入り込みを許容しない所定の大きさとされているので、安全性が低下することはない。
【００１０】
前記送風作業機において、前記架台側および前記ブロワー側への前記通気カバーの取着位置には限定はないが、例えば、前記吸気口の回りで前記ブロワーのケースに取着するとともに、前記架台の左右の縦縁に沿う位置で前記架台に取着することができる（請求項２）。この場合、前記送風作業機の組立工程において、前記ブロワーケースに対して前記通気カバーを予め取着しておき、前記ブロワーと前記架台とを互いに結合せしめた後に、該架台側に対して前記通気カバーを容易に取着することができるので、組立作業が楽に行える利点がある。
【００１１】
また、好適な実施の一形態として、前記通気カバーが、前記吸気口からその半径方向外方へ離隔した位置に異物捕捉部を備えたものとすることもできる（請求項３）。このようにすれば、前記異物捕捉部の面積（通気総面積）を大きくすることができるので、該異物捕捉部における吸気流の流速が遅くなり、落ち葉等の異物が前記異物捕捉部に張り付きにくくなるほか、張り付いた異物も容易に除去することができる。
【００１２】
好適な実施の一形態として、前記通気カバーが、前記吸気間隙の上下左右の四方向に前記異物捕捉部を備えたものとすることもできる（請求項４）。このようにすれば、前記異物捕捉部全体の面積を一層大きくすることができるので、前記作用効果を一層優れたものとすることができる。
【００１３】
好適な実施の一形態として、前記通気カバーを、吸振性の良好な材料で形成することもできる（請求項５）。このようにすれば、前記ブロワー側に生じた振動が前記通気カバーを通じて前記架台側へと直接伝達されてしまうことが防止されて、好適である。
【００１４】
好適な実施の一形態として、前記遊び（Ｃ）が、前記通気カバー（２３）の架台側取付部（３３，３４）と前記架台（４）との間に設けられているものとすることもできる（請求項６）。
【００１５】
好適な実施の一形態として、前記通気カバーの前記架台側と前記ブロワー側への取付部のそれぞれが、耳状に形成されたものとすることもできる（請求項７）。このようにすれば、前記通気カバーの前記架台側および前記ブロワー側への接触面積を極力小さくできるので、前記架台側の防振上なお一層有効である。
【００１６】
好適な実施の一形態として、前記通気カバーが、指の入り込みを許容しないとともに前記ブロワー側と前記架台側との間の振動伝達量を低減せしめる切り込みを備えたものとすることもできる（請求項８）。この場合にも、前記切り込みによって、前記ブロワー側に生じた振動の前記架台側への伝達量が低減されるので、前記架台側の防振効果が大きくなり、好適である。
【００１７】
一方、本発明に係る通気カバーは、架台と、該架台に吸気口を対向させ且つ前記架台との間に吸気間隙をあけて配設されたブロワーと、の間に架設されて、前記吸気間隙から前記吸気口へと異物が吸い込まれることを阻止する通気カバーであって、該通気カバーと前記架台との間に指が入らないように前記通気カバーを前記架台側に取着するための架台側取付部と、前記通気カバーと前記ブロワーとの間に指が入らないように前記通気カバーを前記ブロワー側に取着するためのブロワー側取付部と、前記架台側取付部及び前記ブロワー側取付部による前記通気カバーの取付状態において、前記吸気口の半径方向外方に離隔して位置する異物捕捉部と、を備え、該異物捕捉部が、前記吸気間隙の上下左右の四方向に位置しているものである（請求項９）。
【００１８】
前記通気カバーは、前記架台側取付部を前記架台側に取着されるとともに、前記ブロワー側取付部を前記ブロワー側に取着されて、前記架台と前記ブロワーとの間に架設される。このため、前記架台と前記通気カバーとの間からも、前記ブロワーと前記通気カバーとの間からも、前記吸気口側へと指が入り込むことがなく、安全である。
【００１９】
また、前記通気カバーは、前記架台側と前記ブロワー側との間に架設されているので、通風面積を広くとることができる。このため、前記ブロワーの吸気作用の妨げになりにくい。また、前記通気カバーを通過する吸気流の流速も遅くなるので、前記通気カバーに落ち葉等の異物が張り付きにくい。よって、異物の張り付きによる前記ブロワーの吸気効率の低下の問題が少なく、たとえ張り付いたとしても、その異物を除去し易い。
【００２０】
しかも、前記通気カバーは、異物吸入防止機能と安全保証機能とを併有しているので、構成に無駄がなく、合理的である。さらに、前記異物捕捉部が、前記吸気間隙の上下左右の四方向に位置しているので、前記異物捕捉部全体の面積を一層大きくすることができ、前記作用効果を一層優れたものとすることができる。
【００２１】
前記通気カバーにおいて、前記ブロワー側取付部と前記架台側取付部の形成位置には限定はないが、例えば、前記ブロワー側取付部を、前記吸気口の回りに位置するように形成するとともに、前記架台側取付部を、前記架台の左右の縦縁に沿う位置に形成することができる（請求項１０）。このようにすれば、組立工程において、前記ブロワーに対して前記通気カバーを予め取着しておき、前記ブロワーと前記架台とを互いに結合せしめた後に、該架台側に対して前記通気カバーを容易に取着することができるので、組立作業が楽に行える利点がある。
【００２４】
好適な実施の一形態として、前記通気カバーの全体を吸振性の良好な材料で形成することもできる（請求項１１）。このようにすれば、前記ブロワー側に生じた振動が前記通気カバーを通じて前記架台側へと直接伝達されてしまうことが防止されて、好適である。
【００２５】
好適な実施の一形態として、前記通気カバーにおいて、前記架台側取付部及び前記ブロワー側取付部を耳状に形成することもできる（請求項１２）。このようにすれば、前記通気カバーの前記架台側および前記ブロワー側への接触面積を極力小さくできるので、前記架台側の防振上なお一層有効である。
【００２６】
好適な実施の一形態として、指の入り込みを許容しないとともに前記ブロワー側と前記架台側との間の振動伝達量を低減せしめる切り込みを備えた通気カバーとすることもできる（請求項１３）。この場合にも、前記切り込みによって、前記ブロワー側に生じた振動の前記架台側への伝達量が低減されるので、前記架台側の防振効果が大きくなり、好適である。
【００２７】
【発明の実施の形態】
以下、添付図面を参照して、本発明の好適な一実施の形態について説明する。
【００２８】
図１は、本発明の一実施の形態に係る送風作業機としての背負式送風機１の使用状態を示す斜視図である。該背負式送風機１は、例えば、落ち葉Ｌの吹き寄せ作業等に用いて好適なものである。
【００２９】
図１において、本実施の形態に係る前記背負式送風機１は、架台として、携帯に適する形式の架台、具体的には、背負っての携帯に適するように左右一対の背負いバンド３，３を有する背負架台４を備えている。該背負架台４には、遠心式等のブロワー５と、該ブロワー５を駆動する原動機としての、例えば空冷二サイクルガソリンエンジン等の内燃エンジン６と、が搭載されている。前記ブロワー５の吐風口５ａには、エルボーパイプ７および蛇腹ホース８を介して、吐風パイプ９が接続されている。
【００３０】
作業者Ｕは、前記左右一対の背負いバンド３，３で前記背負架台４を背負い、前記吐風パイプ９の基端部側に取着されたグリップ部１０を握って、前記吐風パイプ９の向き及び前記内燃エンジン６を制御しながら、前記吐風パイプ９の先端部の吐風口９ａから吐出される大きな風量の送風によって、落ち葉Ｌ等の吹き寄せ作業を効率的に行うことができる。
【００３１】
図２は、図１における前記背負式送風機１の本体部の左側面図、図３は、前記背負架台４の左右方向の中央部における、前記背負式送風機１の本体部の縦断面図である。
【００３２】
図２において、前記背負架台４は、実質的に垂直に延びる板状の背当部１１と、該背当部１１の下部から前記作業者Ｕの後方へ向けて実質的に水平に延びる板状の台座部１２と、を備え、左側面視でほぼＬ字形状に形成されている。前記台座部１２上には、適当な防振部材１８，２１を介して、前記遠心式ブロワー５が配置されている。該遠心式ブロワー５には、前記内燃エンジン６が直結されている。前記遠心式ブロワー５は、前記内燃エンジン６と前記背当部１１の背面１１ｒとの間に位置している。前記台座部１２には、前記遠心式ブロワー５との接触を避けるとともに該ブロワー５の下方からの吸気流路も確保できるように、ブロワー受入孔１３が貫通形成されている。前記背負架台４は、例えば、軽量かつ耐久性の良好なプラスチック材料を用いて、ブロー成形法等によって一体形成することができる。
【００３３】
図３に示すように、前記遠心式ブロワー５の吸気口１４は、前記背当部１１の前記背面１１ｒに対向していて、該背面１１ｒと前記遠心式ブロワー５との間には、所定寸法の吸気間隙Ｓがあけられている。前記背当部１１の前記背面１１ｒの中央部には、前記吸気口１４へ向けて滑らかに突出する吸気ガイド部１５が一体形成されている。
【００３４】
前記遠心式ブロワー５は、ブロワーケースとしてのボリュートケース１６と、該ボリュートケース１６内に回転自在に支持された遠心ファン１７と、を備えている。前記遠心式ブロワー５は、図２に示すように、前記ボリュートケース１６の左右の下部に配設されたラバーブロック等の前記防振部材１８を介して、前記背負架台４の前記台座部１２上に防振的に載置されるとともに、図３に示すように、前記ボリュートケース１６の上部前面中央部に固着されたボリュートケース側取付金具１９と、前記背負架台４の前記背当部１１に固着された背負架台側取付金具２０と、の間に配設されたラバーブロック等の前記防振部材２１を介して、前記背当部１１に防振的に支持されている。
【００３５】
前記遠心ファン１７は、前記内燃エンジン６の出力軸２２に駆動上連結されていて、前記内燃エンジン６の回転により回転駆動される。前記背負架台４の周辺の空気は、前記遠心ファン１７の回転で、前記吸気間隙Ｓを通って、前記吸気口１４から前記ボリュートケース１６内に吸入され、該ボリュートケース１６の前記吐風口５ａ（図１参照）から高速気流として吐出される。
【００３６】
図２および図３に示すように、前記背負架台４と前記遠心式ブロワー５との間には、通気カバー２３が配設されている。該通気カバー２３は、前記吸気間隙Ｓから前記遠心式ブロワー５の前記吸気口１４側へと、点検作業中等に前記作業者Ｕの指が入ることを阻止するとともに、前記吸気間隙Ｓから前記吸気口１４へと落ち葉等の異物Ｌが吸い込まれることを阻止する。前記通気カバー２３は、前記背負架台４側と前記遠心式ブロワー５側との間に、それら双方に対して取着して架設されている。このため、前記背負架台４と前記通気カバー２３との間からも、前記遠心式ブロワー５と前記通気カバー２３との間からも、前記吸気口１４側へと指が入り込むことがなく、安全である。
【００３７】
前記通気カバー２３は、振動源としての前記内燃エンジン６の作動によって前記遠心式ブロワー５側に生ずる振動が、人体接触部である前記背負架台４側に前記通気カバー２３を介してダイレクトに伝達されてしまうことを防止するため、ゴムや軟質ポリエチレン等の、吸振性（振動吸収性）の良好な材料で薄肉に一体成形されている。
【００３８】
図４は、前記通気カバー２３の斜視図、図５は、前記通気カバー２３を前記背負架台４側から見た前面図である。
【００３９】
図４および図５に示すように、前記通気カバー２３は、中央部に前記遠心式ブロワー５の前記吸気口１４より大径の円形の開口２４を有するほぼ四角形状の平板部２５と、該平板部２５の上縁２５ａから前記背負架台４側へ向けてほぼ直角に立ち上がった上部壁２６と、前記平板部２５の左右の縦縁２５ｂ，２５ｃから前記背負架台４側へ向けてほぼ直角に立ち上がった左右の側壁２７，２８と、前記平板部２５の下縁２５ｄから下向きに延びた裾部２９と、を備えている。そして、前記上部壁２６と、前記左右の側壁２７，２８と、前記裾部２９と、のそれぞれに、多数の通気孔が形成されて良好な通気性を有するけれども落ち葉等の異物Ｌの通過は許容しない異物捕捉部３０（上部異物捕捉部３０ａ、左側異物捕捉部３０ｂ、右側異物捕捉部３０ｃ、下部異物捕捉部３０ｄ）を備えている。該異物捕捉部３０の前記通気孔部は、網目状若しくは格子状に、又は多数のスリットからなるスリット群の形式で、形成されている。
【００４０】
前記通気カバー２３の前記平板部２５の上部には、前記ボリュートケース側取付金具１９を前記ボリュートケース１６に固着するための取付座部３１（図３参照）を受け容れる取付座部挿通孔３２が形成されている。
【００４１】
また、前記通気カバー２３は、該通気カバー２３と前記背負架台４側との間に指が入らないように前記通気カバー２３を前記背負架台４側に取着するための架台側取付部３３，３３，３４，３４と、前記通気カバー２３と前記遠心式ブロワー５側との間に指が入らないように前記通気カバー２３を前記遠心式ブロワー５側に取着するためのブロワー側取付部３５，３５，３５と、を備えている。
【００４２】
図２に示すように、前記異物捕捉部３０は、前記架台側取付部３３，３３，３４，３４および前記ブロワー側取付部３５，３５，３５による前記通気カバー２３の前記背負架台４側および前記遠心式ブロワー５側への取付状態において、前記吸気口１４の外周部を取り囲むように、前記背負架台４と前記遠心式ブロワー５との間に位置して、前記吸気間隙Ｓを通気可能に塞いでいる。このため、前記遠心式ブロワー５の作動による吸気流に乗って、前記吸気間隙Ｓから前記吸気口１４へと落ち葉等の異物Ｌが吸い込まれることが阻止される。
【００４３】
前記通気カバー２３において、前記異物捕捉部３０は、前記遠心式ブロワー５の前記吸気口１４からその半径方向外方へ出来るだけ大きく離隔した位置に形成するのが望ましい。このようにすれば、前記異物捕捉部３０の通気総面積を大きくすることができるので、前記異物捕捉部３０における吸気流の流速が遅くなり、落ち葉等の異物Ｌが前記異物捕捉部３０に張り付きにくくなるほか、万一張り付いた異物Ｌも、作業中の振動や手で容易に除去することができる。本実施の形態では、前記遠心式ブロワー５または前記背負架台４を前後方向に投影した輪郭の範囲内で、前記吸気口１４から可及的に離隔した位置に、前記異物捕捉部３０を位置せしめている。
【００４４】
また、本実施の形態では、前記の如く、前記異物捕捉部３０を、前記吸気間隙Ｓの上下左右の四方向に形成している。その結果、前記異物捕捉部３０全体の面積を一層大きくすることができるので、前記作用効果を一層優れたものとすることができる。
【００４５】
なお、図３に示すように、前記通気カバー２３の前記裾部に櫛歯状に形成された前記下部異物捕捉部３０ｄは、前記台座部１２の前記ブロワー受入孔１３の前縁部に弾性的に接触して、前記ブロワー受入孔１３から前記吸気口１４側へと異物Ｌが入り込むのを阻止している。
【００４６】
図４および図５に示すように、本実施の形態では、前記通気カバー２３の前記ブロワー側取付部３５は、前記平板部２５の前記開口２４からその半径方向内方に延び出すように、均等な角度間隔で耳状に張り出して三つ配設されている。前記ブロワー側取付部３５，３５，３５は、ねじ等の固着具３６を用いて、前記ボリュートケース１６の前面１６ｆに対して固着される（図３参照）。このため、前記通気カバー２３と前記ボリュートケース１６との間には、前記作業者Ｕの指が入る余地はない。よって、前記作業者Ｕの指が、前記ボリュートケース１６内で高速回転する前記遠心ファン１７に触れてしまう等の問題がなく、安全である。
【００４７】
一方、前記架台側取付部３３，３３，３４，３４は、図４に示すように、前記左右の側壁２７，２８の端縁２７ｅ，２８ｅの上部および下部から左右方向の外方へと延び出すように、耳状に形成されている。前記架台側取付部３３，３３，３４，３４は、前記作業機１の組立工程において、予め前記通気カバー２３を取着した前記遠心式ブロワー５を前記背負架台４上に防振的に支持せしめた後に、前記背当部１１の左右に張り出し形成された縦縁３７，３７のそれぞれの上部及び下部に対して、ねじ等の適宜の固着具３８を用いて取着される（図２参照）。
【００４８】
前記架台側取付部３３，３３，３４，３４は、前記ボリュートケース１６に対する前記ブロワー側取付部３５の取付方法と同様に、前記背負架台４の前記左右に張り出し成形された縦縁３７，３７に対して、前記固着具３８でしっかりと固定してしまっても良い。しかし、本実施の形態では、振動遮断効果を一層良好にせしめるため、図２に示すように、前記架台側取付部３３，３３，３４，３４と前記左右の縦縁３７，３７との間に指が入ることを許容しない所定の大きさの遊びＣを設けて、ストッパーやラバーグロメット付の前記固着具３８を用いて、前記架台側取付部３３，３３，３４，３４を前記左右の縦縁３７，３７に対して取着している。このようにすれば、前記遊びＣによって、前記遠心式ブロワー５側に生じた振動が前記通気カバー２３を通じては前記背負架台４側へ伝達されにくくなるので、前記背負架台４側の防振効果が一層大きくなり、好適である。したがって、前記遊びＣは、前記遠心式ブロワー５側に設けてもよいことは、言うまでもない。
【００４９】
さらに、本実施の形態では、前記架台側取付部３３，３３，３４，３４および前記ブロワー側取付部３５，３５，３５のそれぞれが耳状に形成され、前記背負架台４側および前記遠心式ブロワー５側への前記通気カバー２３の接触面積ができるだけ小さくなるようにせしめている。この構成によっても、前記遠心式ブロワー５側に生じた振動が前記通気カバー２３を通じては前記背負架台４側へ伝達されにくくなる。
【００５０】
さらにまた、図４および図５に示すように、前記通気カバー２３は、指の入り込みを許容しないとともに前記遠心式ブロワー５側と前記背負架台４側との間の前記通気カバー２３を通じての振動伝達量を低減せしめる切り込み３９，３９を備えている。本実施の形態では、前記通気カバー２３の成形用金型を小型化できるようにするため、前記通気カバー２３を、複数のカバー片２３ａ，２３ｂから形成し、該複数のカバー片２３ａ，２３ｂを適宜の手段により互いに連結して使用できるようにして、前記複数のカバー片２３ｂ，２３ｂ同士の間で、前記切り込み３９，３９が形成されるようにせしめている。
【００５１】
すなわち、本実施の形態の前記通気カバー２３は、前記防振部材２１の取り付け性も考慮して、前記上部壁２６および前記取付座部挿通孔３２を含む平面視で台形状の前記上側カバー片２３ａと、前記左右の側壁２７，２８および前記裾部２９を含む、平面視でほぼ正方形状の下側カバー片２３ｂと、から形成されている。該下側カバー片２３ｂの上縁の左右方向の中央部には、連結孔４２，４２，４２を有する舌片４１が上向きに突出形成されている。前記連結孔４２，４２，４２には、前記上側カバー片２３ａの下部に形成された連結凸部４０，４０，４０が圧入状に結合可能である。したがって、本実施の形態では、前記上側カバー片２３ａと前記下側カバー片２３ｂとの間に、左右の外縁から内方へ延びる前記切り込み３９，３９が形成されていることになる。該切り込み３９，３９も、前記通気カバー２３による振動遮断に貢献する。
【００５２】
なお、図２および図４に示すように、本実施の形態では、前記切り込み３９，３９から前記吸気口１４側へと指が入り込んでしまうことを確実に防止するため、前記架台側取付部３３を、前記上側カバー片２３ａに形成した耳状取付部３３ａと、前記下側カバー片２３ｂに形成した耳状取付部３３ｂと、で構成し、これらを重ね合わせて、前記背負架台４側へと前記固着具３８で取着するようにしている。
【００５３】
以上のように、前記通気カバー２３は、単一の部品でありながら、異物吸入防止機能だけでなく、信頼性のある安全保証機能をも有しているので、前記遠心式ブロワー５の前記吸気口１４自体は、そのまま大きく開口させておいても何ら支障はない。
【００５４】
また、本実施の形態のものによれば、前記通気カバー２３自体が、防振に適した種種の構成を備えているだけでなく、前記背負架台４側への取付方法にも前記防振上の配慮がなされているので、前記通気カバー２３が前記背負架台４側と前記遠心式ブロワー５側との双方に対して取着してあっても、該ブロワー５側から前記背負架台４側へと前記通気カバー２３を通じて大きな振動が伝達されてしまうことはない。前記通気カバー２３は、前記背負架台４側と前記遠心式ブロワー５側との双方に対して取着してあることから、前記防振部材１８，１８，２１の破断時の本体脱落防止部材としても機能する。
【図面の簡単な説明】
【図１】本発明の一実施の形態に係る送風作業機としての背負式送風機の使用状態を示す斜視図である。
【図２】図１における背負式送風機の本体部の左側面図である。
【図３】図２の背負架台の左右方向の中央部における、背負式送風機の本体部の縦断面図である。
【図４】通気カバーの全体斜視図である。
【図５】図２の通気カバーを背負架台側から見た前面図である。
【符号の説明】
４    架台（背負架台）
５    ブロワー（遠心式ブロワー）
１４  吸気口
１６  ブロワーケース（ボリュートケース）
２３  通気カバー
３０  異物捕捉部
３３，３３，３４，３４  取付部（架台側取付部）
３５，３５，３５  取付部（ブロワー側取付部）
３６  固着具
３７，３７  架台の左右の縦縁
３８  固着具
３９  切り込み
Ｃ    遊び
Ｌ    異物（落ち葉）
Ｓ    吸気間隙
【図１】
0003682604.tif 000002
【図２】
0003682604.tif 000003
【図３】
0003682604.tif 000004
【図４】
0003682604.tif 000005
【図５】
0003682604.tif 000006